(57)【要約】　　　（修正有）【課題】本発明は、表示画面を鏡に切り替え可能な鏡機能付き液晶表示装置及びこれを備えた電子機器に関し、表示面を鏡として機能させる場合にも所定の情報を表示面に表示できるようにすることを目的とするなお、表示装置として有機ＥＬも使用できる。【解決手段】画像を表示するための画像光を出射する画像表示部１と、画像表示部１の前面に配され、画像光を透過する画像透過状態と外光を反射する鏡状態とを独立に切り替え可能な複数の切替領域Ａ１〜Ａ３を有する鏡表示部２とを備えて構成する。【選択図】　図１
2004069926.tif 000002
【特許請求の範囲】
【請求項１】
画像を表示するための画像光を出射する画像表示部と、
前記画像表示部の前面に配され上記画像光を透過する画像透過状態と外光を反射する鏡状態とを独立に切り替え可能な複数の切替領域を有する鏡表示部とを備えたことを特徴とする、鏡機能付き表示装置。
【請求項２】
上記鏡表示部は、上記画像表示部側から順に、
所定の偏光軸を有する直線偏光を透過し上記所定の偏光軸と略直交する偏光軸を有する直線偏光を反射する第１の偏光板と、
入射した直線偏光の透過状態と非透過状態とを切り替え可能な切替素子を備えたことを特徴とする請求項１記載の鏡機能付き表示装置。
【請求項３】
上記切替素子は、上記切替領域として構成される複数の画素領域を有するパッシブ型液晶セルであることを特徴とする、請求項１又は２記載の鏡機能付き表示装置。
【請求項４】
上記切替素子は、上記切替領域として構成される複数の画素領域を有するアクティブマトリクス型液晶セルであることを特徴とする、請求項１又は２記載の鏡機能付き表示装置。
【請求項５】
上記画像表示部は、液晶表示装置であることを特徴とする、請求項１〜４のいずれかの項に記載の鏡機能付き表示装置。
【請求項６】
上記画像表示装置は、有機ＥＬ装置であることを特徴とする、請求項１〜４のいずれかの項に記載の鏡機能付き表示装置。
【請求項７】
上記画像表示部と上記鏡表示部とを連動して駆動制御する制御部を更に備え、
上記制御部は、鏡状態に切り替えられた切替領域に対応する表示領域への画像光の出射を禁止することを特徴とする、請求項１〜６のいずれかの項に記載の鏡機能付き表示装置。
【請求項８】
請求項１〜７のいずれかの項に記載の鏡機能付き表示装置を備えたことを特徴とする、電子機器。
【発明の詳細な説明】
【０００１】
【発明の属する技術分野】
本発明は、表示画面を鏡に切り替え可能な鏡機能付き表示装置及びこれを備えた電子機器に関するものである。
【０００２】
【従来の技術】
携帯電話やＰＤＡ等では、待ち受け時等に表示画面を鏡として利用することが提案されている。
このような鏡機能付き表示装置としては、例えば特開２００１−３１８３７４に開示されるように、画像光を出射する液晶表示装置の前面に第１の偏光板，液晶シャッタ，第２の偏光板を順に配置したものが知られている。この第１の偏光板は、透過軸に平行な直線偏光を透過するとともに透過軸に直交する直線偏光を反射する性質を有する反射型の偏向板であり、この透過軸は液晶表示装置から出射される画像光の偏光軸に平行に配されている。また、この反射型の第１の偏光板の透過軸と、通常の吸収型の第２の偏光板の透過軸とは例えば平行に配されている。さらに、液晶シャッタには、全面にＩＴＯのベタ電極が形成された一対の基板の間で液晶の配向方向が９０°ツイストされたＴＮ液晶セルが用いられている。
このような表示装置では、液晶シャッタの開閉状態を制御することで、外光が反射偏光板により強く反射される鏡状態と、画像光が第２の偏光板を透過して表示面側に出射される画像表示状態とを切り替えるようになっている。
【０００３】
【発明が解決しようとする課題】
しかしながら、上記従来技術では、液晶シャッタに電圧を印加すると、表示面が全面鏡状態となるため、時刻、日付等の表示装置に表示すべき有用な情報までもが認識できなくなるといった不都合が生じる。
本発明は、上述の課題に鑑み創案されたもので、表示面を鏡として機能させる場合にも所定の情報を表示面に表示できるようにした、鏡機能付き表示装置及び電子機器を提供することを目的とする。
【０００４】
【課題を解決するための手段】
上記目的を達成するために、本発明の鏡機能付き表示装置は、画像を表示するための画像光を出射する画像表示部と、前記画像表示部の前面に配され上記画像光を透過する画像透過状態と外光を反射する鏡状態とを独立に切り替え可能な複数の切替領域を有する鏡表示部とを備えたことを特徴としている。
本構成によれば、一つの切替領域で鏡表示を行なっている際に、他の切替領域において所定の情報を表示することができる。つまり、表示面の全面を鏡状態とした場合には、表示装置に表示すべき有用な情報までもが表示できなくなるが、特定の切替領域において日付けや時刻等の有用な情報を表示するようにすることで使い勝手を向上させることができる。
【０００５】
ここで上記鏡表示部は、例えば、上記鏡表示部は、上記画像表示部側から順に、所定の偏光軸を有する直線偏光を透過し上記所定の偏光軸と略直交する偏光軸を有する直線偏光を反射する第１の偏光板と、入射した直線偏光の透過状態と非透過状態とを切り替え可能な切替素子とを備えて構成される。
なお、上述の構成において、上記切替素子を、上記切替領域として構成される複数の画素領域を有するパッシブ型液晶セルとして構成してもよい。切替素子による表示は補助的なものであり、ドットマトリクス方式やパッシブマトリクス方式等のパッシブ型液晶セルによって十分表示可能であるとともに、切替素子にアクティブマトリクス型液晶セルを用いる場合に比べて、表示装置全体を安価に製造することができる。もちろん、アクティブマトリクス型液晶セルを用いた場合にも表示にはなんら問題はない。
また、上記画像表示部を液晶表示装置や有機ＥＬ装置として構成してもよい。
【０００６】
さらに、制御部によって上記画像表示部と上記鏡表示部とを連動して駆動制御してもよい。このとき、上記制御部は、鏡状態に切り替えられた切替領域に対応する表示領域への画像光の出射を禁止することが望ましい。
本構成によれば、画像光が鏡状態に切り替えられた切替領域に漏れることで鏡表示の表示品質が劣化されることを防止できる。上記のように画像光の出射を禁止する方法としては、例えば、画像表示部が有機ＥＬパネルとして構成される場合には、有機ＥＬパネルの上記表示領域への電圧印加を禁止し発光を抑えるようにする。また、画像表示部が透過型液晶表示装置である場合には、液晶の配向制御して上記表示領域を黒表示としたり、バックライトを消灯したりすることで画像光の出射が禁止される。上述のように電圧印加を禁止したりバックライトを消灯したりすることで、鏡表示を行なっている際の表示装置の消費電力を低減することもできる。
【０００７】
また、本発明の電子機器は、上述の鏡機能付き表示装置を備えたことを特徴としている。
本構成によれば、表示面全面を鏡状態とすることなく、特定の切替領域に所定の有用な情報を表示することができる表示部を備えた電子機器を提供することができる。
【０００８】
【発明の実施の形態】
以下、図面により、本発明の実施の形態について説明する。
図１は本発明の一実施形態としての鏡機能付き表示装置の概略構成を示す断面図であり、図２はその要部を拡大して示す図であり、図３〜図６はいずれもその表示原理を説明するための図であって、表示原理の説明に必要な構成要素のみを示す図であり、図７〜図９はいずれも上記表示装置を備えた電子機器の例を示す図である。なお、以下の全ての図面においては、図面を見やすくするため、各構成要素の膜厚や寸法の比率などは適宜異ならせてある。
【０００９】
本実施形態に係る鏡機能付き表示装置は、図１に示すように、背面にバックライト５０が配された第１の液晶セル１０と第１の偏光板２０と第２の液晶セル３０と第２の偏光板４０とが表示面側に向けて順に配置されて構成されている。なお、本明細書では液晶セル１０，３０を構成する各基板の液晶側の面を「内面」、それと反対側の面を「外面」という。また、本表示装置では、第２の偏光板４０側を画像光等を観察する表示面とする。
【００１０】
第１の液晶セル１０はアクティブマトリクス型の液晶表示装置であり、下基板１１と上基板１２とが対向配置され、これら上基板１２と下基板１１とに挟まれた空間に、誘電率異方性が正のＴＮ液晶が封入されて液晶層１９が構成されている。そして、第１の液晶セル１０の後面側（下基板１１の外面側）にバックライト５０が配置され、これら第１の液晶セル１０とバックライト５０とにより、本発明の画像表示部１が構成される。
【００１１】
ガラスやプラスチック等の透光性材料からなる下基板１１の内面側には、ＩＴＯ（Ｉｎｄｉｕｍ　Ｔｉｎ　Ｏｘｉｄｅ）等の透明導電膜からなる画素電極１５が形成され、画素電極１５を覆うようにポリイミド等からなる配向膜１７が積層されている。本実施の形態の場合、下基板１１はＴＦＴ等の画素スイッチング素子、データ線、走査線等が形成された素子基板から構成されているが、図１においては画素スイッチング素子、データ線、走査線等の図示は省略する。また、下基板１１の外面側には下偏光板１３が設けられている。
【００１２】
一方、ガラスやプラスチックなどの透光性材料からなる上基板１２の内面側には、ＩＴＯ等の透明導電膜からなる共通電極１６、ポリイミド等からなる配向膜１８が順次積層されている。また、上基板１２の外面側には上偏光板１４が設けられている。なお、図示を省略したが、上基板１２の内面側にはＲ（赤）、Ｇ（緑）、Ｂ（青）の各色素層を有するカラーフィルタが設けられている。
上基板１２側、下基板１１側の配向膜１８，１７はともにラビング処理等の水平配向処理がなされており、上基板１２側の配向膜１８の配向方向は図１における紙面に平行な方向、下基板１１側の配向膜１７の配向方向は図１における紙面に垂直な方向にそれぞれ設定されている。このため、液晶層１９の液晶分子は非選択電圧印加（電圧オフ）時に上基板１２と下基板１１との間において基板面に平行な面内で略９０°ツイストした状態となっている。
【００１３】
また、上偏光板１４の透過軸方向、下偏光板１３の透過軸方向は共に、図１における紙面に平行な方向に設定されている。すなわち、偏光板１３の透過軸方向と基板１１の内面に接する液晶分子の配向方向とは概ね垂直とされ、偏光板１４の透過軸方向と基板１２の内面に接する液晶分子の配向方向とは概ね平行とされている。
バックライト５０は、光源５１と反射板５２と導光板５３とを有しており、導光板５３の下面側（液晶セル１０と反対側）には、導光板５３中を透過する光を液晶セル１０側に向けて出射させるための反射板５４が設けられている。
【００１４】
第１の偏光板２０は、透過軸に平行な直線偏光を透過するとともに透過軸に直交する直線偏光を反射する性質を有する反射偏向板であり、この第１の偏光板２０の透過軸は液晶セル１０の上偏光板１４の透過軸に対して平行に（即ち、紙面に平行に）配置されている。
第２の液晶セル３０は、パッシブマトリクス型の液晶表示装置であり、下基板３１と上基板３２とが対向配置され、これら上基板３２と下基板３１とに挟まれた空間に、誘電率異方性が正のＴＮ液晶が封入されて液晶層３９が構成されている。
【００１５】
ガラスやプラスチック等の透光性材料からなる下基板３１の内面には、ＩＴＯ等の透明導電膜からなる画素電極３５が形成され、画素電極３５を覆うようにポリイミド等からなる配向膜３７が積層されている。そして、本実施形態では、この画素電極３５が、印加電圧をそれぞれ独立に制御される複数の領域に分離して形成されている。つまり、図２に示すように、画素電極３５は、下基板３１の所定の位置に形成された電極Ｅ２，Ｅ３と、これら電極Ｅ２，Ｅ３の形成された領域を除く下基板３１の略全面を被覆するように形成された電極Ｅ１とからなり、各電極Ｅ１〜Ｅ３の印加電圧はそれぞれ独立に制御されるようになっている。これにより、液晶セル３０は電極Ｅ１〜Ｅ３にそれぞれ対応する複数の切替領域Ａ１〜Ａ３において入射光の偏光状態をそれぞれ独立に変更し、入射した直線変更の透過状態と非透過状態とを切り替えられるようになっている。つまり、第２の液晶セル３０は本発明の切替素子として機能し、第１の偏光板２０，液晶セル３０，第２の偏光板４０により本発明の鏡表示部２が実現される。
【００１６】
また、電極Ｅ２，Ｅ３はそれぞれ、予め決められた所定の情報を表示するための複数のセグメント電極ｐからなり、各セグメント電極ｐへの印加電圧を個別に制御することで、例えば日付けや時間等の文字情報を表示できるようになっている。例えば図２では、表示面の右上隅部に設けられた切替領域Ａ２において日付け情報を表示し、表示面の右下隅部に設けられた切替領域Ａ３において時間情報を表示できるようになっている。なお、切替領域Ａ２，Ａ３の形成される位置は下基板３１の右上隅部，右下隅部に限定されず、任意に設定することができる。また、表示面にはこのような文字情報を表示する他、図柄等を表示させるようにしてもよい。
【００１７】
一方、ガラスやプラスチック等の透光性材料からなる上基板３２の内面側には、ＩＴＯ等の透明導電膜からなる共通電極３６、ポリイミド等からなる配向膜３８が順次積層されている。また、上基板３２の外面側には第２の偏光板４０が設けられている。
上基板３２側、下基板３１側の配向膜３８，３７はともにラビング処理等の水平配向処理がなされており、上基板３２側の配向膜３８の配向方向は図１における紙面に平行な方向、下基板３１側の配向膜３７の配向方向は図１における紙面に垂直な方向にそれぞれ設定されている。このため、液晶層３９の液晶分子は非選択電圧印加（電圧オフ）時に上基板３２と下基板３１との間において基板面に平行な面内で略９０°ツイストした状態となっている。
【００１８】
また、第２の偏光板４０の透過軸方向は、図１における紙面に垂直な方向に設定されている。すなわち、第１の偏光板の透過軸方向と下基板３１の内面に接する液晶分子の配向方向とは概ね垂直とされ、第２の偏光板４０の透過軸方向と上基板３２の内面に接する液晶分子の配向方向とは概ね垂直とされている。
【００１９】
したがって、第２の液晶セル３０の液晶分子の配向を基板３１，３２に平行にツイストした状態と基板３１，３２に垂直な状態との間で切り替えることで、表示面側から入射された光を第１の偏光板２０によって反射させる状態と、第１の偏光板２０を透過させて第１の液晶セル１０の下偏光板１３によって吸収させる状態とを切り替える一方、第１の液晶セル１０から出射された画像光を表示面側に透過させる状態と、第２の偏光板４０に吸収させる状態とを切り替えることができるようになっている。
なお、第１の液晶セル１０と第２の液晶セル３０とは、図３〜図６に示す駆動装置（制御部）６０によって連動して駆動されるようになっている。
【００２０】
以下、本実施形態の鏡機能付き表示装置の表示原理を図３〜図５を用いて説明する。
まず、鏡表示を行なう場合には、図３に示すように、第２の液晶セル３０に電圧を印加した状態（電圧印加状態）とし、第２の液晶セル３０の液晶分子が上下基板間で略垂直に配向した状態とする。
【００２１】
この場合、第２の偏光板４０の上方（表示面側）から入射した外光（図３の右側参照）は、第２の偏光板４０の透過軸が紙面に垂直であるため、第２の偏光板４０を透過した後、紙面に垂直な直線偏光となって第２の液晶セル３０に至る。第２の液晶セル３０の液晶分子は略垂直に配向しているため、入射された直線偏光に対して実質的に等方な状態であり、直線偏光は液晶層３９によって偏光軸を回転されることなく第１の偏光板２０に至る。このとき、直線偏光は、その偏光軸が紙面に垂直であるため、第１の偏光板の反射特性により強く反射される。そして、直線偏光は再度同じ経路を通って表示面側に出射され、メタル調の表示を呈する。
【００２２】
一方、第１の液晶セル１０から出射された画像光（図３の左側参照）は、その偏光軸が紙面に平行であるため、第１の偏光板２０に反射されることなくそのまま透過する。そして、第２の液晶セル３０の液晶層３９によって偏光軸を回転されることなく透過し、第２の偏光板４０に至る。このとき、直線偏光の偏光軸は第２の偏光板４０の透過軸に垂直であるため、直線偏光は第２の偏光板４０によって吸収され、表示面に表示されることはない。
したがって、表示装置の表示面は全面鏡面として機能する。
【００２３】
次に、上述のような鏡表示を行いながら、切替領域Ａ２又は切替領域Ａ３に対応する特定の表示領域に所定の情報を表示する場合について説明する。この場合には、図４に示すように、電極Ｅ２又は電極Ｅ３に電圧を印加しない状態（非選択電圧印加状態）とし、切替領域Ａ２，Ａ３における第２の液晶セル３０の液晶分子が、上下基板間で略９０°ツイスト配向した状態とする。また、このような特定の表示領域における第１の液晶セル１０を非選択電圧印加状態として、画像光の出射を禁止する。
【００２４】
この場合、上記特定の表示領域において、第２の偏光板４０の上方（表示面側）から入射した外光（図４の右側参照）は、第２の偏光板４０を透過して紙面に垂直な直線偏光となった後、第２の液晶セル３０の液晶分子のねじれに沿って旋光し、偏光軸を９０°回転された状態で第１の偏光板２０に至る。このとき、この直線偏光は、その偏光軸が第１の偏光板の透過軸に平行であるため、第１の偏光板２０をそのまま透過する。そして、この直線偏光は、第１の液晶セル１０の液晶層１９によってその偏光軸を９０°回転され、下偏光板１３によって吸収される。
したがって、上記特定の表示領域では、外光が第１の液晶セル１０の下偏光板１３によって完全に吸収される結果、所定の情報が鏡の中に黒く浮き上がった状態で表示される。
【００２５】
次に、第１の液晶セル１０から出射される画像光を表示面に表示させる場合には、図５に示すように、第２の液晶セル３０（即ち、電極Ｅ１〜Ｅ３の全て）を非選択電圧印加状態とし、第２の液晶セル３０の液晶分子が、上下基板間で略９０°ツイスト配向した状態とする。
この場合、第１の液晶セル１０から紙面に平行な直線偏光として出射された画像光（図５の左側参照）は第１の偏光板２０をそのまま透過し、第２の液晶セル３０の液晶層３９によって偏光軸を９０°回転された状態で第２の偏光板４０に至る。このとき、画像光は、その偏光軸が上偏光板４０の透過軸と平行であるため第２の偏光板４０をそのまま透過し、表示面に表示される。
【００２６】
一方、第２の偏光板４０の上方から入射した外光（図５の右側参照）は、第２の偏光板４０を透過して紙面に垂直な直線偏光になった後、第２の液晶セル３０の液晶層３９によってその偏光軸を９０°回転された状態で第１の偏光板２０に至る。このとき、この直線偏光は、その偏光軸が第１の偏光板の透過軸に平行であるため、第１の偏光板２０をそのまま透過する。そして、この直線偏光は、第１の液晶層１９によってその偏光軸を回転されることなく第１の液晶セル１０を透過して下偏光板１３に至る。
【００２７】
このとき、直線偏光は、その偏光軸が下偏光板１３の透過軸と平行であるため、下偏光板１３をそのまま透過し、バックライト５０の反射層５４で反射される。このように反射層５４で反射された外光は実質的に照明光と変わらないため、照明光の一部となり画質を劣化させる外光反射とはならない。
したがって、表示面は画像表示面として機能し、外光反射による画質の劣化が殆どない高品質な表示が得られる。
【００２８】
したがって、本実施形態の鏡機能付き表示装置によれば、第２の液晶セル３０の切替領域Ａ１〜Ａ３において入射光の偏光状態をそれぞれ独立に変更できるようになっているため、一つの切替領域Ａ１で鏡表示を行なっている際に、他の切替領域Ａ２，Ａ３において所定の情報を表示することができる。このため、表示面の略全面を鏡面としながら、このような鏡面の一部の領域Ａ２，Ａ３に日付けや時刻等の有用な情報を表示するようにすることで、使い勝手を向上させることができる。
【００２９】
［電子機器］
上記実施形態の鏡機能付き表示装置を備えた電子機器の例について説明する。
図７は、携帯電話の一例を示した斜視図である。図７において、符号１０００は携帯電話本体を示し、符号１００１は上記実施形態の鏡機能付き表示装置を用いた表示部を示している。
【００３０】
図８は、腕時計型電子機器の一例を示した斜視図である。図８において、符号１１００は時計本体を示し、符号１１０１は上記実施形態の鏡機能付き表示装置を用いた表示部を示している。
【００３１】
図９は、ワープロ、パソコンなどの携帯型情報処理装置の一例を示した斜視図である。図９において、符号１２００は情報処理装置、符号１２０２はキーボードなどの入力部、符号１２０４は情報処理装置本体、符号１２０６は上記実施形態の鏡機能付き表示装置を用いた表示部を示している。
【００３２】
図７〜図９に示す電子機器は、上記実施形態の鏡機能付き表示装置を用いた液晶表示部を備えているので、鏡状態とした表示面の一部の領域に日付けや時刻等の有用な情報を表示可能な表示部を有する電子機器を実現することができる。
【００３３】
なお、本発明の技術範囲は上記実施の形態に限定されるものではなく、本発明の趣旨を逸脱しない範囲において種々の変更を加えることが可能である。
例えば、上記実施形態では鏡状態に切り替えた切替領域Ａ１にも第１の液晶セル１０から画像光を出射可能としている（図３参照）が、液晶セル１０，３０を連動駆動することで、このような切替領域Ａ１に画像光の出射が禁止されるようにしてもよい。あるいは、図６に示すように、最も広い切替領域Ａ１が鏡状態に切り替えられた場合には、それに連動して駆動装置６０によりバックライト５０を消灯し、第１の液晶セル１０の駆動を禁止するようにしてもよい。上述のように鏡表示部２による表示の切替状態に連動させて画像表示部１の駆動を制御するようにすることで、鏡表示を行なっている際の画像表示部１の消費電力を低減することができる。
【００３４】
また、上記実施形態では、鏡表示を行いながら所定の切替領域Ａ２，Ａ３に時刻等を表示させる場合、外光の吸収により黒い文字等が表示されるようになっている（図４の右側参照）が、この代わりに、このような切替領域Ａ２，Ａ３にバックライト光を透過させることで白色或いは着色された文字等が表示されるようにしてもよい。具体的には、第１の液晶セル１０を駆動して、画像光が第２の偏光板２０側に出射されるようにする。この際、表示面側から入射し第２の偏光板４０によって紙面に垂直な直線偏光となった外光は、第２の液晶層、第１の偏光板、第１の液晶セル１０を透過してバックライト５０の反射層５４で反射され、照明光の一部となる。
【００３５】
また、上記実施形態のように画像表示部１を第１の液晶セル１０はカラー表示可能なアクティブマトリクス方式の液晶表示装置に限ることなく、パッシブマトリクス方式やドットマトリクス方式等のパッシブ型液晶表示装置や白黒表示の液晶表示装置を適用することも可能である。また、画像表示部１を、このような第１の液晶セル１０及びバックライト５０によって構成する代わりに、有機ＥＬ装置によって構成してもよい。この場合、第１の偏光板２０の透過軸に垂直な偏光成分を有する画像光が第１の偏光板２０を透過して鏡表示の品質を劣化させることを防止するために、有機ＥＬ装置と第１の偏光板２０との間に、通常の吸収型の偏光板を配し、その透過軸と反射型の第１の偏光板２０の透過軸とを平行に配置するようにすることが望ましい。
【００３６】
さらに、第２の液晶セル３０の切替領域は三つに限定されず、二つ或いは四つ以上であってもよい。また、上述の実施形態では、電極Ｅ１〜Ｅ３は所定の情報を表示するようにパターン形成されているが、この代わりに、任意の情報を表示できるように、第２の液晶セル３０を単純マトリクス型或いはアクティブマトリクス型の液晶装置として構成してもよい。
【００３７】
【発明の効果】
以上、詳述したように本発明によれば、一つの切替領域で鏡表示を行なっている際に、他の切替領域において所定の情報を表示することができる。つまり、表示面の全面を鏡状態とした場合には、表示装置に表示すべき有用な情報までもが表示できなくなるが、特定の切替領域において日付けや時刻等の有用な情報を表示するようにすることで使い勝手を向上させることができる。
【図面の簡単な説明】
【図１】本発明の一実施形態に係る鏡機能付き表示装置の概略構成を示す断面図である。
【図２】同、表示装置の要部を拡大して示す平面図である。
【図３】同、表示装置の表示原理を説明するための図であって、表示原理の説明に必要な構成要素のみを示す図である。
【図４】同、表示装置の表示原理を説明するための図であって、表示原理の説明に必要な構成要素のみを示す図である。
【図５】同、表示装置の表示原理を説明するための図であって、表示原理の説明に必要な構成要素のみを示す図である。
【図６】同、表示装置の表示原理を説明するための図であって、表示原理の説明に必要な構成要素のみを示す図である。
【図７】本発明に係る電子機器の一例を示す斜視図である。
【図８】本発明に係る電子機器の他の例を示す斜視図である。
【図９】本発明に係る電子機器のさらに他の例を示す斜視図である。
【符号の説明】
１　画像表示部
２　鏡表示部
２０　第１の偏光板
３０　切替素子
４０　第２の偏光板
６０　駆動装置（制御部）
Ａ１〜Ａ３　切替領域
【図１】
2004069926.tif 000003
【図２】
2004069926.tif 000004
【図３】
2004069926.tif 000005
【図４】
2004069926.tif 000006
【図５】
2004069926.tif 000007
【図６】
2004069926.tif 000008
【図７】
2004069926.tif 000009
【図８】
2004069926.tif 000010
【図９】
2004069926.tif 000011